(57)【要約】【課題】生活排水等の排熱がマンホールの蓋体上の積雪を融解するのを防止するための中蓋をマンホール内で支持するマンホール用中蓋支持具を提供する。【解決手段】マンホール用中蓋支持具１は、４つの筒状連結部２Ａにより十字型に形成した中央連結部２と、４本の中蓋支持体３と、鋸歯状掛止体４とからなる。筒状連結部２Ａ内には雌ネジが形成してあり、中蓋支持体３は、一端の雄ネジを筒状連結部２Ａの雌ネジに螺合することによって連結してある。中蓋支持体３は、螺合しているので軸方向に回転させることにより進退させることができる。鋸歯状掛止体４は、基端の凹部に中蓋支持体３の他端の凸部を挿嵌することによって、中蓋支持体３が回動可能に摺動するように連結してある。そして、鋸歯状掛止体４の先端の鋸歯部がマンホール内側面に引っ掛かることによって、マンホール用中蓋支持具１をマンホール内に確実に固定することができる。【選択図】図１
0003138371.tif 000002
【実用新案登録請求の範囲】
【請求項１】
３以上の連結部を１８０度以下の間隔で外方向に向けて配設してなる中央連結体と、
一端を該各連結部に連結することにより、外方向に伸長する中蓋支持体と、
基端を該中蓋支持体の他端に連結し、先端をマンホール内側面に掛止する掛止体とにより、該掛止体を外方向に進出可能に構成してなるマンホール用中蓋支持具。
【請求項２】
前記各連結部と前記中蓋支持体は螺合することにより連結し、また、該中蓋支持体と前記掛止体は回動可能に連結してあることを特徴とする請求項１記載のマンホール用中蓋支持具。
【請求項３】
前記連結部は、中心から外方向に向けて下向きの勾配が設けてあることを特徴とする請求項１記載のマンホール用中蓋支持具。
【請求項４】
前記掛止体は、先端を鋸歯状に形成してあることを特徴とする請求項１記載のマンホール用中蓋支持具。
【請求項５】
前記掛止部は、先端を尖形状に形成してあることを特徴とする請求項１記載のマンホール用中蓋支持具。
【考案の詳細な説明】
【技術分野】
【０００１】
本考案は、生活排水等の排熱がマンホールの蓋体上の積雪を融解し、積雪路面に穴や段差を形成するのを防止するための断熱材等からなる中蓋をマンホール内で支持するマンホール用中蓋支持具に関する。
【背景技術】
【０００２】
降雪寒冷地においては、冬期に道路上に雪が積もるとマンホール内を上昇する排熱によってマンホールの蓋上の積雪が溶け、路面に大きな穴や段差が形成されることがある。このような大きな穴や段差は自動車のタイヤが落ち込んだり、歩行者が足を取られたりする原因になり、大変危険なものである。そこで、マンホール内に断熱性の中蓋を設けることにより、マンホールから蓋側への排熱の上昇を防止して、路面に穴や段差が形成されるのを防止することが行われている。
【特許文献１】特開２００３−９６８０６号公報
【考案の開示】
【考案が解決しようとする課題】
【０００３】
しかし、上述のマンホール断熱用の中蓋は、直径サイズを変更することができないから、特定のマンホールにしか使用することができないという問題がある。したがって、多くのマンホールに設置する場合は、各マンホールのサイズに合った断熱用中蓋を用意しなければならず、コストも余分にかかることとなる。また、上述のマンホール断熱用中蓋は構造が複雑であり、マンホール内への設置及び取り外しも煩雑である。このため、作業中の落下のおそれ等もあって作業者にとっても危険である。
【０００４】
本考案は上述した従来技術の欠点に鑑みなされたもので、構造が簡単であるし、安価で製作でき、取り付けも容易であり、また、さまざまなマンホール内に設置することができる使用上の自由度があるマンホール用中蓋支持具を提供することを目的とする。
【課題を解決するための手段】
【０００５】
上記課題を解決するために構成した本考案の手段は、３以上の連結部を１８０度以下の間隔で外方向に向けて配設してなる中央連結体と、一端を該各連結部に連結することにより、外方向に伸長する中蓋支持体と、基端を該中蓋支持体の他端に連結し、先端をマンホール内側面に掛止する掛止体とにより、該掛止体を外方向に進出可能に構成したことにある。
【０００６】
そして、前記各連結部と前記中蓋支持体は螺合することにより連結し、また、該中蓋支持体と前記掛止体は回動可能に連結するとよい。
【０００７】
また、前記連結部は、中心から外方向に向けて下向きの勾配を設けるとよい。
【０００８】
更に、前記掛止体は先端を鋸歯状に形成するとよい。
【０００９】
更に、前記掛止部は先端を尖形状に形成するとよい。
【考案の効果】
【００１０】
本考案は、上述の構成とすることにより以下の諸効果を奏する。
（１）マンホール用中蓋支持具のマンホール内への設置は、掛止体をマンホールの内側面に掛止させることにより行うので、設置及び取り外しを短時間で容易に行うことができる。
（２）中蓋はマンホール用中蓋支持具に載置することにより設置するから、中蓋の設置、取り外し、交換を短時間で容易に行うことができる。
（３）中蓋支持体は、中央連結体に螺合することにより軸方向に進退可能に連結してあり、中蓋支持体を回転させることによりマンホールの内径に合わせてマンホール用中蓋支持具のサイズを変更することができるから、内径が異なる様々な大きさのマンホールに設置することができ、利便性に優れている。また、マンホールの種類ごとにマンホール用中蓋支持具を用意する必要がないから、コストの削減を図ることができる。
（４）中蓋支持体と掛止体は回動かつ摺動可能に連結し、中蓋支持体を回転させてもマンホール内側面に掛止している掛止体は回転しないように構成したから、掛止体がマンホール内側面に掛止した状態でも中蓋支持体を容易に回転させることができ、設置及び取り外し作業が容易である。また、中蓋支持体を回転させると、それに伴って掛止体が回転して不用意にマンホール用中蓋支持具が外れるということを防止することができる。
（５）連結部は中心から外方向に向けて下向きの勾配を設け、マンホール用中蓋支持具全体として傘の骨組み状にしてあるから、流入した雨水や土砂の荷重が中蓋を介して加わってもマンホール用中蓋支持具は、拡径する方向に変形してマンホール内側面に更に食い込むことで強度性を有することができる。
（６）掛止体は、先端を鋸歯状に形成することにより、マンホール内側面に確実に掛止するようにしたから、中蓋を確実に支持することができる。
（７）掛止体は、先端を尖形状に形成することにより、マンホール内側面のコンクリート部材の目地やわずかな凹みに食い込んで確実に掛止するようにしたから、中蓋を確実に支持することができる。
（８）マンホール用中蓋支持具は、構造が簡易であり、構成する部材も少ないから、製作が容易であるし、生産期間の短縮、コストの削減を図ることができる。
【考案を実施するための最良の形態】
【００１１】
以下、本考案の実施の形態を図面に基き説明する。図において、１は、マンホール用中蓋支持具を示す。２は該マンホール用中蓋支持具１を構成し、後述する複数の中蓋支持体３を連結するための中央連結体を示す。該中央連結体２は横方向に９０度ずつ離間させた４つの筒状連結部２Ａ、２Ａ、・・により十字型に形成してあり、各筒状連結部２Ａ内には雌ネジ２Ｂが形成してある。３、３、・・は、該筒状連結部２Ａに連結してある４本の中蓋支持体を示す。該各中蓋支持体３は、丸棒状の鋼材又は合成樹脂材からなり、その一端に形成した雄ネジ３Ａを前記筒状連結部２Ａの雌ネジ２Ｂに螺合することによって、マンホール用中蓋支持具１は十字型となるように構成してある。そして、中蓋支持体３は、螺合しているので軸方向に回転させることによりイ、ロ方向に進退させることができる。また、図２に示すように中蓋支持体３の他端は後述する掛止体４と連結するために凸部３Ｂに形成してある。３Ｃは、中蓋支持体３の夫々の略中間に設けてあるスパナ掛け部で、該スパナ掛け部３Ｃにスパナを掛けて回転させることにより中蓋支持体３を進退させることができる。 
【００１２】
また、中央連結体２の各筒状連結部２Ａは、中心から外方向に向けて下向きに約２度の勾配が形成してある。これにより、該筒状連結部２Ａに連結する中蓋支持体３も勾配を有することとなり、マンホール用中蓋支持具１が側面から見て全体として傘の骨組み状になる。これにより該マンホール用中蓋支持具１上に載置する中蓋上に雨水や土砂等が溜まって荷重を受けても、マンホール用中蓋支持具１は拡径する方向に変形することで、上方からの荷重を確実に支持することができる。なお、マンホール用中蓋支持具１はその上に中蓋を載置することができればよいので、中央連結体２は必ずしも十字型である必要はなく、３つ又状、５つ又状などでもよい。
【００１３】
４、４、・・は、各中蓋支持体３に連結してある鋸歯状掛止体を示す。該鋸歯状掛止体４は、中蓋支持体３と同様の丸棒状の鋼材又は合成樹脂材からなる軸部４Ａと、該軸部４Ａの一側端面に形成した凹部４Ｂと、該軸部４Ａの他端に軸方向に突出形成した鋸歯部４Ｃとから構成してある。そして、該凹部４Ｂに中蓋支持体３の凸部３Ｂを挿嵌することによって、中蓋支持体３が回動可能に摺動するように連結してある。また、鋸歯部４Ｃは回転することなくマンホール内側面Ａに引っ掛かることによって、マンホール用中蓋支持具１をマンホール内に確実に固定することができるようになっている。
【００１４】
なお、中央連結体２と中蓋支持体３の連結部分及び中蓋支持体３と鋸歯状掛止体４の連結部分はゴム製又は合成樹脂製のカバーで覆ってもよい。これにより、ゴミ等がネジ溝、凹凸部に入り込んで、ネジが回転不能になることや中蓋支持体３が摺動不能になるのを防止することができる。また、金属材にあっては、防錆効果もある。
【００１５】
本実施の形態は上述の構成からなっており、次にその使用方法について説明する。マンホール用中蓋支持具１は、中央連結体２と中蓋支持体３を螺合することにより連結してあるから、中蓋支持体３は回転させることによりイ、ロ方向に進退させることができる。まず、マンホール用中蓋支持具１をマンホール内の設置しようとする高さに略水平に位置させ、鋸歯状掛止体４の鋸歯部４Ｃがマンホール内側面Ａに当接するように、中蓋支持体３を回転させてイ方向に進出させる。そして、該鋸歯部４Ｃがマンホール内側面Ａに食い込むように中蓋支持体３を十分進出させることによって、鋸歯部４Ｃがマンホール内側面Ａを押圧して、さらに掛止して確実にマンホール用中蓋支持具１をマンホール内に架設することができる。
【００１６】
そして、中蓋支持体３と鋸歯状掛止体４は凸部３Ｂを凹部４Ｂに摺動可能に挿嵌することによって連結してあるから、マンホール内側面Ａに掛止している鋸歯状掛止体４を回転させることなく、中蓋支持体３のみを容易に回転させることが可能であり、設置及び取り外し作業が容易である。また、中蓋支持体３の回転に伴って鋸歯状掛止体４が回転して不用意にマンホール用中蓋支持具１が外れるということも防止することができる。
【００１７】
そして、マンホール用中蓋支持具１をマンホール内に固定後、該マンホール用中蓋支持具１の上に中蓋Ｂを載置することによりマンホール内に設けることができる（図３参照。）。なお、中蓋Ｂは断熱材に限られず、防臭材を兼ねてもよい。
【００１８】
なお、中央連結体２と中蓋支持体３を一体に形成し、中蓋支持体３と鋸歯状掛止体４をターンバックルを介して連結してもよい。このように構成することにより、ターンバックルを回転させることによって、鋸歯状掛止体４は進出してマンホール内側面Ａを押圧して、さらに掛止することで、マンホール用中蓋支持具１をマンホール内に確実に架設することができる。そして、ターンバックルの回転に伴って鋸歯状掛止体４が回転して不用意にマンホール用中蓋支持具１が外れるということも防止することができる。
【００１９】
図４は本考案の第２の実施の形態を示す。なお、本実施の形態において、第１の実施の形態の構成要素と同一の構成要素には同一の符号を付して援用し、その説明を省略する。１１はマンホール用中蓋支持具を示し、１２、１２、・・は、該マンホール用中蓋支持具１１を構成する尖形状掛止体を示す。該尖形状掛止体１２は、中蓋支持体３と同様の丸棒状の鋼材又は合成樹脂材からなる軸部１２Ａと、該軸部１２Ａの一側端面に形成した凹部（図示せず。）と、該軸部１２Ａの他端から軸方向に突出形成した尖形部１２Ｂとから構成してある。そして、該凹部に中蓋支持体３の凸部３Ｂを挿嵌することによって、中蓋支持体３が回動可能に摺動するように連結してある。
【００２０】
本実施の形態は上述の構成からなっており、尖形状掛止体１２の尖形部１２Ｂがマンホール内側面Ａに当接するように中蓋支持体３を回転させてイ方向に進出させ、該尖形部１２Ｂがマンホール内側面Ａの目地や凹みに食い込むようにすることによって、尖形部１２Ｂはマンホール内側面Ａを押圧して確実にマンホール用中蓋支持具１１をマンホール内に架設することができる。従って、マンホール内側面Ａが滑らかであってもコンクリート部材の目地やわずかな凹みがあれば、そこに尖形部１２Ｂを食い込ませてマンホール用中蓋支持具１１をマンホール内に確実に設置することができる。
【００２１】
なお、尖形状掛止体１２と中蓋支持体３は凸部３Ｂを凹部に挿嵌することによって連結してあるので、設置するマンホール内側面Ａの状態に合わせて、第１の実施の形態の鋸歯状掛止体４と第２の実施の形態の尖形状掛止体１２を選択して使用することができる。
【図面の簡単な説明】
【００２２】
【図１】図１乃至図３は本考案の第１の実施の形態に係り、図１はマンホール用中蓋支持具の一部を破断して示す平面図である。
【図２】中蓋支持体と鋸歯状掛止体の連結を示す部分断面図である。
【図３】マンホール用中蓋支持具の設置状態を示す説明図である。
【図４】図４は本考案の第２の実施の形態に係り、マンホール用中蓋支持具の設置状態を示す説明図である。
【符号の説明】
【００２３】
１、１１  マンホール用中蓋支持具
２        中央連結体
２Ａ      筒状連結部
３        中蓋支持体
４        鋸歯状掛止体
１２      尖形状掛止体
【図１】
0003138371.tif 000003
【図２】
0003138371.tif 000004
【図３】
0003138371.tif 000005
【図４】
0003138371.tif 000006